(57)【要約】      （修正有）【課題】  カメラを備えた携帯電話端末において、特別なハードウエアを追加することなく、新規な文字入力モードを提供する。【解決手段】  携帯電話端末１００に搭載されたカメラ３３により、端末本体を文字を描くように動かしながら撮影を行う。撮影された被撮像体の動きを示す動ベクトルを動ベクトル検出部２１１により検出し、その動ベクトルの動画像中での分布状態を動ベクトル分布検出部２１３により検出する。検出された動ベクトルの向き、大きさ、分布状態等に基づいて、辞書データベース６Ａを検索して、文字認識を実行する。【選択図】  図２
2006154898.tif 000002
【特許請求の範囲】
【請求項１】
入力情報を入力する機能を備えた携帯端末において、
本体部と、
本体部に一体に設けられ動画像を撮像する撮像部と、
前記本体部を動かしながら撮像された動画像中の被撮像体の動きを示す動ベクトルを検出する動ベクトル検出部と、
前記動ベクトルの前記動画像中での分布状態を検出する動ベクトル分布検出部と、
複数の前記動ベクトルのそれぞれの大きさ及び向き、並びに前記分布状態と対応付けて文字を記憶する辞書データベースと、
前記動ベクトル検出部及び前記動ベクトル分布検出部が検出した前記大きさ及び向き並びに前記分布状態に対応する文字を前記辞書データベースから読み出す読み出し部と
を備えたことを特徴とする携帯端末。
【請求項２】
音声を識別する音声識別部を更に備え、前記読み出し部は、前記大きさ及び向き並びに前記音声に対応する文字を前記辞書データベースから読み出す請求項１記載の携帯端末。
【請求項３】
二以上の画数を有する文字の一画の描画の開始及び終了を示す情報を入力する一画開始・終了入力部と、
前記動ベクトル検出部は、この一画開始終了入力部が示す前記開始及び終了の間において動作する請求項１記載の携帯端末。
【請求項４】
前記動ベクトル検出部により検出された複数の動ベクトルを所定の絞込み基準に従って絞り込んで基準動ベクトルを出力する動ベクトル絞込み処理部を更に備えた請求項１記載の携帯端末。
【請求項５】
前記動ベクトル絞込み処理部は、前記動ベクトル検出部で検出された動ベクトルのばらつきを吸収する処理を実行する請求項４記載の携帯端末。
【請求項６】
前記動ベクトル絞込み処理部は、前記画像間の間引きを実行する請求項４記載の携帯端末。
【請求項７】
前記動ベクトル絞込み処理部は、前記動画像中の物体像のエッジ検出を行い、このエッジ付近の動ベクトル以外の動ベクトルを除去する処理を実行する請求項４記載の携帯端末。
【請求項８】
前記動画像において所定時間以上の間黒画像が継続すると判定された場合に文字入力モードの終了を強制終了させる手段を更に備えた請求項１記載の携帯端末。
【請求項９】
情報を入力する機能を備えた携帯可能な本体部と、
前記本体部に一体に設けられ動画像を撮像する撮像部と、
前記本体部を動かしながら撮像された前記動画像中の被撮像体の動きを示す動ベクトルを順次検出し、前記動ベクトルの前記動画像中での分布状態を検出する動ベクトル検出部と、
予め文字記号ごとに対応付けられた複数の動ベクトルの分布状態を記憶する辞書データベースと、
前記動ベクトル分布検出部が検出した前記分布状態に最も類似する分布状態に対応付けられた文字記号を前記辞書データベースから検索する検索部と
を備えたことを特徴とする携帯端末。
【請求項１０】
前記動ベクトル分布検出部は、動ベクトルの少なくとも大きさ又は向きの一方を特徴量として検出する手段と、検出された複数の特徴量の集合を前記分布状態として出力する手段とを備えたことを特徴とする請求項９記載の携帯端末。
【発明の詳細な説明】
【技術分野】
【０００１】
本発明は、動画像を撮影可能としたＣＣＤカメラ等の撮像装置、及び文字や制御コードを入力する入力部を備えた携帯端末に関する。
【背景技術】
【０００２】
携帯電話を含む携帯情報端末装置は、小型で携帯性に優れる分、入力部にはパソコン等のように多数のキーを設けることができず、このため少ない数のキー（例えば、電話機の１５個前後のキー、ジョイスティックキーなど）によって入力するように工夫されている。いわゆるＰＤＡ（携帯情報端末）では、タッチパネルからペン入力による手書き文字認識などを用いたものも知られている。
【０００３】
また、携帯電話の底部にラインセンサを配置し、文字認識を行って文字入力を行うようにしたものが特許文献１により知られている。また、特許文献２は、１５個のキーにそれぞれ４分割したタッチセンサを備え、キー全体をタッチパネルのようになぞることにより文字入力を可能にした携帯端末を提案している。また、特許文献３は、携帯端末に動きセンサを搭載し、端末自体を前後左右に動かして文字等を入力するものを提案している。
しかし、ラインセンサやタッチセンサ等の特別のハードウエアを文字入力のために増設することは、携帯端末の容積の肥大化を招き、携帯電話端末の高価格化を招く。
【０００４】
また、特許文献４は、携帯電話端末に付属のカメラにより、ユーザのジェスチャを認識して、画面の切り替え等を行う技術を開示している。しかし、この文献の技術では、画面の切り替え等を行うことができるに止まり、文字入力等を可能にするものではない。
【０００５】
【特許文献１】特開２００３−１９９１６３号公報（［００１１］欄他）
【特許文献２】特開２００１−３３３１６６号公報（［００１６］欄他）
【特許文献３】特開２０００−７８２６２号公報（［０００９］〜［００１７］欄他）
【特許文献４】特開２０００−８３３０２号公報（［０１５７］〜［０１８１］欄他）
【発明の開示】
【発明が解決しようとする課題】
【０００６】
本発明は、特別なハードウエアを追加することなく、新規な文字入力モードを提供することを可能とした携帯端末を提供することを目的とする。
【課題を解決するための手段】
【０００７】
本発明に係る携帯端末は、入力情報を入力する機能を備えた携帯端末において、本体部と、本体部に一体に設けられ動画像を撮像する撮像部と、前記本体部を動かしながら撮像された動画像中の被撮像体の動きを示す動ベクトルを検出する動ベクトル検出部と、前記動ベクトルの前記動画像中での分布状態を検出する動ベクトル分布検出部と、複数の前記動ベクトルのそれぞれの大きさ及び向き、並びに前記分布状態と対応付けて文字を記憶する辞書データベースと、前記動ベクトル検出部及び前記動ベクトル分布検出部が検出した前記大きさ及び向き並びに前記分布状態に対応する文字を前記辞書データベースから読み出す読み出し部とを備えたことを特徴とする。
【発明の効果】
【０００８】
この発明によれば、携帯端末において、特別なハードウエアを追加することなく、新規な文字入力モードを提供することができる。
【発明を実施するための最良の形態】
【０００９】
次に、本発明の実施の形態を、図面を参照して詳細に説明する。また、以下の説明では、主に数字やアルファベットなどの文字の入力を行う例を説明するが、図形、記号や、メールの送信命令などの制御コードも「文字」と考えて入力の対象とすることができるのは勿論である。
図１は、この発明の実施形態に係わる携帯電話端末の回路構成を示すブロック図である。この携帯電話端末１００は、無線部１と、ベースバンド部２と、入出力部３と、電源部４と、バイブレータ５とから構成される。この携帯電話端末１００には、本実施の形態に係る辞書データベース６Ａ等を格納するためのメモリカード６が接続され得る。  
【００１０】
同図において、図示しない基地局から無線チャネルを介して到来した無線周波信号は、アンテナ１１で受信されたのちアンテナ共用器（ＤＵＰ）１２を介して受信回路（ＲＸ）１３に入力される。受信回路１３は、高周波増幅器、周波数変換器及び復調器を備える。そして、この無線周波信号を低雑音増幅器で低雑音増幅したのち、周波数変換器において周波数シンセサイザ（ＳＹＮ）１４から発生された受信局部発振信号とミキシングして受信中間周波信号又は受信ベースバンド信号に周波数変換し、その出力信号を復調器でディジタル復調する。復調方式としては、例えばＱＰＳＫ方式に対応した直交復調方式と、拡散符号を使用したスペクトラム逆拡散方式が用いられる。なお、上記周波数シンセサイザ１４から発生される受信局部発振信号周波数は、ベースバンド部２に設けられた主制御部２１から指示される。
【００１１】
上記復調器から出力された復調信号はベースバンド部２に入力される。ベースバンド部２は、主制御部２１と、多重分離部２２と、音声符号復号部（以後音声コーデックと呼称する）２３と、画像処理部２４と、ＬＣＤ制御部２５と、メモリ部２６とを備えている。メモリ部２６は、カメラ３３により得られた動画像データを記憶する動画像データ記憶部２６１、検出された動ベクトルを記憶する動ベクトルデータ記憶部２６２、検出された基準動ベクトルを記憶する基準動ベクトル記憶部２６３、及び文字認識結果を記憶する文字認識結果記憶部２６４、音声データを記憶する音声データ記憶部２６５等を備えている。動ベクトル、基準動ベクトルについては後述する。
【００１２】
復調信号は、主制御部２１において制御情報であるか画像情報であるかが識別され、画像情報であれば多重分離部２２に供給されてここで音声データと画像データとに分離される。そして、音声データは音声コーデック２３に供給されてここで音声復号され、これにより再生された音声信号は入出力部３のスピーカ３２から拡声出力される。これに対し画像データは、画像処理部２４に供給されてここで画像復号処理され、これにより再生された画像信号はＬＣＤ制御部２５を介して入出力部３のＬＣＤ３４に供給され表示される。
【００１３】
また、メモリ部２６に記憶された音声データおよび画像データを再生および表示する場合にも、これらのデータはそれぞれ音声コーデック２３および画像処理部２４に入力される。そして、音声データは音声コーデック２３で復号されたのちスピーカ３２から拡声出力される。また画像データは、画像処理部２４で復号されたのちＬＣＤ制御部２５を介してＬＣＤ３４に供給され、表示される。
【００１４】
一方、入出力部３のマイクロホン３１から出力されたユーザの送話音声信号は、ベースバンド部２の音声コーデック２３に入力され、ここで音声符号化されたのち多重分離部２２に入力される。またカメラ３３から出力された画像信号は、ベースバンド部２の画像処理部２４に入力され、ここで画像符号化処理が施されたのち多重分離部２２に入力される。多重分離部２２では、上記符号化された音声データと画像データとが所定のフォーマットで多重化され、この多重化された送信データは主制御部２１から無線部１の送信回路（ＴＸ）１５に入力される。
なお、カメラ３３は、フレーム撮影可能なもの、フィールド撮影が可能なもののいずれであってもよい。フレーム撮影とは、１秒間に例えば３０フレームを撮影し、その各フレームが１画像を構成するものであり、フィールド撮影とは、１画面を奇数ラインと偶数ラインに従って分割可能な形で撮影し（インタレース撮影）し、２つのフィールドで１つのフレームを構成するものである。以下では、図１のカメラはフレーム撮影を行うものとして説明を行う。
【００１５】
送信回路１５は、変調器、周波数変換器及び送信電力増幅器を備える。送信データは、変調器でディジタル変調されたのち、周波数変換器により周波数シンセサイザ１４から発生された送信局部発振信号とミキシングされて無線周波信号に周波数変換される。変調方式としては、ＱＰＳＫ方式及び拡散符号使用するスペクトラム拡散方式が用いられる。そして、この生成された送信無線周波信号は、送信電力増幅器で所定の送信レベルに増幅されたのち、アンテナ共用器１２を介してアンテナ１１に供給され、このアンテナ１１から図示しない基地局に向け送信される。
【００１６】
なお、電源部４には、リチウムイオン電池等のバッテリ４１と、このバッテリ４１を商用電源出力（ＡＣ１００Ｖ）をもとに充電するための充電回路４２と、電圧生成回路（ＰＳ）４３とが設けられている。電圧生成回路４３は、例えばＤＣ／ＤＣコンバータからなり、バッテリ４１の出力電圧をもとに所定の電源電圧Ｖｃｃを生成する。
【００１７】
主制御部２１は、本実施の形態に係る文字入力を行うため、図１に示すように動ベクトル検出部２１１、動ベクトル絞り込み処理部２１２、動ベクトル分布検出部２１４、音声認識部２１５、及び文字認識部２１６を含んでいる。本実施の形態では、図２に示すように、携帯電話端末１００を、入力したい文字を描くように動かしながらカメラ３３で被撮像体（図２ではユーザの左手の指Ｆ）を撮影することにより、文字入力を行う。例えば、数字の「６」を入力したい場合には、図２に示すように、文字入力起動キー３５Ａを押してカメラ３３による文字入力モードを起動した後、カメラ３３を指Ｆの方向に向けて指Ｆを撮影しながら、文字入力キー３５Ｂを押しながら、携帯電話端末１００を「６」を描くように移動させる。文字入力キー３５Ｂは、「６」を描く軌跡の始点で押し始められ、終点において離される。こうして文字入力キー３５Ｂが押下されている間に撮影された指Ｆのカメラ３３に対する相対的な動きを示す動ベクトルを動ベクトル検出部２１１で検出することにより文字入力を行うことができる。すなわち、文字入力キー３５Ｂは、文字を構成する１つの画の開始と終了を示す情報を入力する手段として機能する。２以上の画数からなる文字は、１画の文字が終了したら文字入力キー３５Ｂを離し、次の１画を入力するときに再び文字入力キー３５Ｂを押すことにより、入力することができる。
【００１８】
なお、指Ｆ等の被撮像体は、静止物、すなわちカメラ３３が撮影を行っている間において、所定の位置から動かない物体とすることが好ましい。図２の例の指Ｆ以外でも、撮影可能で動ベクトルを明確に検出できる静止物であればよい。
また、文字入力キー３５Ｂを１画の入力の間押し続ける代わりに、１画の開始と終了のときにそれぞれ文字入力キー３５Ｂを１回押すことにより、１画の開始と終了を入力するようにしてもよい。または、マイクロホン３１から入力された音声により、文字の１画の開始および終了を入力するようにしてもよい。
【００１９】
動ベクトル検出部２１１は、カメラ３３が取得した動画像を構成する各フレームの所定の領域における画素の動きを示す動ベクトルの大きさ及び向きを計算する機能を有する。この実施の形態で動ベクトルは、例えば参照フレームとしての前後のフレームと、現フレームとの間において、動画像が動いた方向と距離を表すベクトルのことをいうものとする。ＭＰＥＧ（Motion Picture Encoding Group）の規格に従う場合、基準フレームをＩピクチャとし、所定の設定間隔でＩピクチャを設定する。そして、このＩピクチャを基準として、前後のフレーム（Ｂピクチャ、Ｐピクチャ）の動ベクトルを計算する。なお、この実施の形態では、画像の圧縮符号化が目的ではないので、動ベクトルは指Ｆのカメラ３３に対する動きを検出する視標として用いられるのみであり、圧縮符号化に用いる必要のあるものではない。ただし、圧縮符号化後、その圧縮画像に基づいて、動ベクトルを検出するようにすることは可能である。
【００２０】
一例として、動ベクトル検出部２１１は、図３に示すように、横Ｘ画素、縦Ｙ画素（例えばＸ＝３６０、Ｙ＝２４０）の１つのフレームを、横ＸＢ画素×縦ＹＢ画素（例えばＸＢ＝ＹＢ＝４）のマクロブロックに分割する。そして、各マクロブロック毎にＶＮ個（＝Ｘ／ＸＢ×Ｙ／ＹＢ）の動ベクトルを計算するように構成する。例えば、図３に示すように、現フレームＮ＋Ｔ、過去のフレームＮがあり、フレームＮではマクロブロックＭに存在していた画像が、フレームＮ＋ＴではマクロブロックＳに移動している、という場合を考える。このとき、マクロブロックＳにおける動ベクトルＶｍを、マクロブロックＭとＳの座標値の相違、その他位置の相違を示すデータにより計算することができる。その他のマクロブロックについても、同様に動ベクトルを計算することができる。
なお、マクロブロックは長方形に限るものではなく、例えば円形、楕円形、三角形、５角以上の多角形とすることもできる。また、動ベクトルは複数個のフレーム間に亘って、順方向予測計算、逆方向予測計算を用いて計算することもできる。
【００２１】
或いは、１つのフレームの中の特定の領域を動ベクトル抽出領域として定義し、その動ベクトル抽出領域ごとに代表動ベクトルを求めるようにすることもできる。動ベクトル抽出領域は、例えば図４に示すように、画面中央を挟んで略対称に、略同一形状・大きさの第１〜第４の動ベクトル抽出領域３０２〜３０５を定義し、それぞれの領域ごとに代表動ベクトル３０２Ａ〜３０５Ａを求めるようにすることができる。場合によっては、図５に示すように、左右対称でなく、また個々の抽出領域３０２’〜３０５’の大きさ又は形状も異ならせるようにしてもよい。画面のコーナー部など、動ベクトルが発生する可能性が少なく、雑音が入り込み易いと考えられる領域には、抽出領域を設定しないようにするのが好ましい。
【００２２】
動ベクトル検出部２１１においては、動ベクトルの向きだけでなく大きさも検出する。動ベクトルの向きだけによると、例えば数字の「０」と「６」の識別が困難になり、誤認識等が生じる虞が大きくなる。動ベクトルの大きさは、携帯電話端末１００の移動速度に対応するデータである。「０」を描く場合と、「６」を描く場合とでは、後者の方が描くループが小さく、早くループが閉じるので、ループの移動速度にも差が生じる。従って、移動速度すなわち動ベクトルの大きさを検出することにより、例えば類似する文字「０」と「６」の識別が容易になる。
【００２３】
動ベクトル絞り込み処理部２１２は、動ベクトル検出部２１１で検出された動ベクトルに対し所定のデータ除去処理を実行して、動ベクトルデータを絞り込んだ基準動ベクトルを取得する機能を有する。実行されるデータ除去処理は、例えば、
（１）動ベクトル検出部２１１で計算された１フレーム内の動ベクトルのばらつきを吸収して外乱データを除去する処理、
（２）フレーム間の間引きを実行して外乱データを除去する処理、
（３）動画像中の物体像のエッジ検出を行い、このエッジ付近の動ベクトル以外を除去する処理、又は
（４）これらの組合せの処理
である。
【００２４】
例えば、移動する車内などで本実施の形態の文字入力がなされる場合、背景において、建物や自動車などが移動し、これが画面に映ることがあり得る。こうした物体の移動は、フレーム上において、動ベクトルの全体に対するばらつきとして現われる。このような場合、ＶＮ個の動ベクトルの総和平均、又は複数の代表ベクトルの相関係数を計算することにより、ばらつきを吸収し、このような物体の像の影響を除去することができる。或いは、ＶＮ個の動ベクトルの標準偏差σを求め、所定の値ＫＩ・σ（ＫＩは正の値の係数）の範囲内にある動ベクトルのみを残し、この範囲外の動ベクトルを除去することによっても、絞込みを行うことができる。
【００２５】
あるいは、撮影した動画像に含まれるフレーム数ＡＡを、これより少ないフレーム数ＡＰに間引きすることにより、動ベクトル数を絞り込むこともできる。フレーム数ＡＡをＡＰに間引きする方法は、例えば、（１）文字の１画の始点と終点の間において、その時間の長さに関係なく、固定の枚数に間引く、（２）間引き後のフレーム間の時間間隔を所定の期間ＴＴとする、（３）期間ＴＴを非等間隔とする、（４）隣接するフレームにおける各動ベクトルの相関を計算して、所定の閾値ＴＳＨ以上の高い相関を有するフレームは間引く、などが考えられる。
【００２６】
あるいは、フレーム間の相関から、移動していくフレーム内の小物体の移動を推測し、これを除去することも可能である。このようにして、指Ｆの相対移動に基づく動ベクトルの推定に有効でないと判定されるデータの除去処理が行われることにより、文字認識部２１６における文字認識精度を向上させることができる。
【００２７】
動ベクトル分布検出部２１３は、各フレームにおいて検出され絞り込み処理が行われた後の動ベクトルの各フレーム上における分布状態を検出する機能を有する。例えば、図６に示すように、フレーム１１０１〜１１０６において、携帯電話端末１００が文字を描くように動かされたことにより、指Ｆが画面上を移動する場合、動ベクトルも、各フレーム１１０１〜１１０６において、指Ｆの移動方向に沿って、その分布範囲が移動していく。この分布の状態を、例えば図６に示すように分布の移動方向を示すベクトル１１０８を計算することにより、各フレームにおける動ベクトルの分布状態を検出することができる。
【００２８】
音声認識部２１５は、携帯電話端末１００を動かしながら指Ｆ等を撮影することにより得られた動ベクトルによる文字認識の補助情報としてマイクロホン３１から入力される音声情報を認識する機能を有する。入力される音声の種類は様々に考え得るが、例えば（１）入力される文字の読み自体を示す音声、（２）入力される文字の形状を示す音声等を入力することができる。前者の例としては、例えば形状が類似した文字、例えば「０」と「６」を識別するため、その読みをマイクロホン３１から音声入力することができる。後者の例としては、例えば形状の類似する「＋」と「Ｔ」を入力する場合に、携帯電話端末１００を動かしつつ、各画の交点において、交点を示す音声（例：「クロス」）をマイクロホン３１から入力することにより、両者を識別することができる。
【００２９】
文字認識部２１６は、動ベクトル検出部２１１で検出され動ベクトル絞り込み処理部で絞り込み処理された後の動ベクトルの向き及び大きさ、並びに動ベクトル分布検出部２１３で検出された動ベクトルの分布状態に対応する文字を、辞書データベース６Ａから検索し、その検索結果を読み出す機能を有する。
辞書データベース６Ａは、動ベクトルの向き及び大きさ、並びに分布状態に関するデータと、各種文字とを対応付けて記憶している。この辞書データベース６Ａの学習処理は、文字入力及び認識と同様の手順により行うことができるが、他の同じ解像度、同じ光学的特性を有した撮像装置等を用いて入力したデータを用いることも可能である。また、撮像装置でなくとも、動ベクトルの情報を入力できるものであれば、辞書データベース６Ａへの学習処理の方法は不問である。
【００３０】
学習時に用いる撮像装置は、カメラ３３とは異なる解像度、光学特性を有するものであってもよい。また、学習時において、動ベクトルの検出方法（マクロブロックや動ベクトル抽出領域の設定等）が、文字入力及び認識の場合と異なっていてもよい。この場合には、動ベクトル絞り込み処理部２１２において、動ベクトル検出部２１１で検出された動ベクトルの数Ｍ２を、辞書データベース６Ａにデータとして格納されている動ベクトルの数Ｍ１に合わせ込み（例えば、Ｍ１、Ｍ２以下のＭ３個の動ベクトルに絞り込み）、この合わせ込み後の動ベクトルにより、文字認識を行うことができる。
【００３１】
次に、本実施の形態の携帯電話端末による文字入力の手順を、図７のフローチャートを参照して説明する。ここでは、２画からなる文字「＋」を入力する場合を例にとって説明する。文字入力を開始する場合、ユーザはまず文字入力起動キー３５Ａを押下する（Ｓ１１）。カメラ３３のレンズの前に指Ｆ等の被撮像体を置き、この指Ｆの方向にカメラ３３を向け、文字入力キー３５Ｂを押し始めた後（Ｓ１２）、携帯電話端末１００を「＋」の横線の１画を描くように移動させる（Ｓ１３）。なお、携帯電話端末１００の移動中必要に応じてマイクロホン３１から音声を入力するが（Ｓ１４）、この横線を描く際は音声入力は不要である。
【００３２】
横方向への移動が終わると、文字入力キー３５Ｂは離される（Ｓ１５）。こうして文字入力キー３５Ｂが押下されている間に撮影された指Ｆのカメラ３３に対する相対的な動きを示す動ベクトルを動ベクトル検出部２１１で検出する（Ｓ１６）。動ベクトル絞り込み処理部２１２において動ベクトルの絞り込み処理が行われた後（Ｓ１７）、動ベクトル分布検出部２１３により、これら動ベクトルの分布状態が検出される（Ｓ１８）。２画以上の画数からなる文字を入力する場合には、このＳ１２〜Ｓ１８の手順を、入力しようとする文字を構成する全画の入力が完了するまで繰り返す（Ｓ１９）。文字「＋」の２画目である縦線を入力する場合には、携帯電話１００の縦方向（上から下）への移動の途中において、交点を示す音声（「クロス」等）をマイクロホン３１に向けてユーザが発声する。文字認識部２１６は、この音声の内容、発せられたタイミングの情報、及び動ベクトルの情報とに基づき、入力文字の認識を行う（Ｓ２０）。
【００３３】
なお、「＋」と類似する文字「Ｔ」を入力する場合には、移動の途中ではなく、縦方向への携帯電話端末１００の移動の最初において、交点を示す音声（「クロス」等）を発声する。このように、発声のタイミングを入力文字によって異ならせることにより、類似する文字同士の識別が可能になる。入力文字の読み自体を示す音声（「プラス」、「ティー」など）を入力するようにすることも可能である。
【００３４】
以上、発明の実施の形態を説明したが、本発明はこれらに限定されるものではなく、発明の趣旨を逸脱しない範囲内において、種々の変更、追加等が可能である。例えば、上記実施の形態では、１つのレンズを持つ１つのカメラ３３により動画像を撮像していたが、複数のレンズを持つカメラにより得られる時間的に同期又は非同期の複数系列の動画像を選択してもよいし、また複数系列の画像を重畳させて動画像として用いてもよい。さらに、画像を重畳させる場合に、別に定めた重み付け係数を掛け合わせた上で重畳するようにしてもよい。
【００３５】
また、上記の実施の形態では、辞書データベース６Ａに動ベクトルの情報（向き及び大きさ、分布状態）を文字と対応させて格納していたが、代わりに動ベクトルの情報から計算した携帯電話端末１００の移動方向及び速度を辞書データベース６Ａに格納するようにしてもよい。携帯電話端末１００の移動方向は、動ベクトルの方向とは逆方向となる。また、辞書データベース６Ａに、文字入力の際に入力される音声に関する情報を格納しておき、文字認識の際に利用するように構成することも可能である。
【００３６】
また、上記の実施の形態では、マイクロホン３１により類似文字を互いに識別するための情報を入力していたが、これに限らず、様々な情報を入力可能に構成してもよい。例えば文字の種別に関する情報（英字、ひらがな、カタカナ、数字等）を音声で入力するようにしてもよい。
【００３７】
また、本実施の形態の文字入力モードを終了させる場合、上記の例ではキー３５Ａを操作していたが、この代わりに、例えばカメラ３３のレンズが所定の期間ＴＥ秒（例えば２〜５秒程度）継続して押えられた場合に、本実施の形態の文字入力モードを終了させるようにしてもよい。
【００３８】
また、図８に示すように、フリップ３４と本体部３７とがヒンジ部３８により開閉可能となっているフリップ式携帯情報端末装置においては、フリップ３４の表面（フリップを閉じた状態で見える面）に本実施の形態の文字入力ボタン３５Ｂを設けてもよい。
【００３９】
また、上記実施の形態では、動ベクトル検出部２１１により検出した動ベクトルの向き及び大きさ、並びに動ベクトル分布検出部２１３により検出した動ベクトルの分布状態によって文字認識を行っていたが、本発明はこれに限定されるものではなく、例えば分布状態のみに基づいて文字認識を実行するようにしてもよい。このとき、各動ベクトルの向き又は大きさも「分布状態」を構成するデータの一部と把握して、動ベクトル分布検出部２１３において検出させるようにしてもよい。
また、画素のサイズも本発明においては、様々なサイズ又はフォーマットとすることができ、例えば、ＩＴＵ−Ｔ  Ｈ.２６１のＣＩＦ、ＭＰＥＧ−１のＳＩＦ、ＮＴＳＣ用画像、ＰＡＬ用画像、ＨＤＴＶ画像あるいはそれとは異なるサイズの画像のいずれでも良い。
【図面の簡単な説明】
【００４０】
【図１】この発明の実施形態に係わる携帯電話端末の回路構成を示すブロック図である。
【図２】本実施の形態による文字入力モードを実行する様子を示す概念図である。
【図３】動ベクトル検出部２１１の動作の一例を示す。
【図４】フレーム中において設定される動ベクトル抽出領域の一例を示す。
【図５】フレーム中において設定される動ベクトル抽出領域の一例を示す。
【図６】動ベクトル分布検出部２１３の動作の一例を示す。
【図７】本実施の形態の携帯電話端末１００による文字入力モードの手順を示すフローチャートである。
【図８】本実施の形態の変形例の１つを示す。
【符号の説明】
【００４１】
１・・・無線部、２・・・ベースバンド部、３・・・入出力部、４・・・電源部、  ５・・・バイブレータ、  ６・・・メモリカード、  １１・・・アンテナ、１２・・・アンテナ共用器（ＤＵＰ）、  １３・・・受信回路（ＲＸ）、  １４・・・周波数シンセサイザ（ＳＹＮ）、  １５・・・送信回路、  ２１・・・主制御部、  ２２・・・多重分離部、  ２３・・・音声コーデック、  ２４・・・画像処理部、  ２５・・・ＬＣＤ制御部、  ２６・・・メモリ部、  ３１・・・マイクロホン、  ３２・・・スピーカ、  ３３・・・カメラ、  ３４・・・ＬＣＤ、  ３５・・・キーボード、  ４１・・・バッテリ、  ４２・・・充電回路、  ４３・・・電圧生成回路、  ２１１・・・動ベクトル検出部、  ２１２・・・動ベクトル絞り込み処理部、２１３・・・動ベクトル分布検出部部、  ２１５・・・音声認識部、  ２１６・・・文字認識部。
【図１】
2006154898.tif 000003
【図２】
2006154898.tif 000004
【図３】
2006154898.tif 000005
【図４】
2006154898.tif 000006
【図５】
2006154898.tif 000007
【図６】
2006154898.tif 000008
【図７】
2006154898.tif 000009
【図８】
2006154898.tif 000010